(57)【要約】【課題】給水弁と注水口を有する注水ケースとを水漏れなく接続する洗濯機を提供する。【解決手段】給水弁２８と注水ケース３０の接続部４０は、給水弁２８に形成された給水弁接続口５３と、注水ケース３０に形成され、給水弁接続口５３が挿入された注水ケース接続口５２と、給水弁接続口５３と注水ケース接続口５２とを水密的に接続するゴム材から成るパッキン５０とで構成されるとともに、給水弁接続口５３の端部に形成した接続口鍔部５５を、注水ケース接続口５２に形成したストッパー部５１に当接させて位置決めをした構成とすることにより、製造工程における組み立て時にパッキン５０が正しく取り付けられ、水漏れ防止と原価低減を図ることができる。【選択図】図１
2018038695.tif 000002
【特許請求の範囲】
【請求項１】
衣類を収容する洗濯槽と、前記洗濯槽を収容する水槽と、前記水槽に水を供給する給水部を備え、前記給水部は、給水弁と、注水ケースと、上部枠体により形成され、前記水槽上方に位置して水を供給する給水口と、給水弁の注水ケースへの挿入部を機密保持するパッキンと、給水弁から給水口へ水を導き、給水経路入口側の断面積が給水口側の通過断面積よりも小さくなるよう構成された給水経路を有し、前記注水ケースには、前記給水弁を挿入したとき、前記パッキンの入り込み量を規制するストッパー部を形成したことを特徴とする洗濯機。
【請求項２】
前記注水ケースに設けた前記ストッパー部は、前記給水弁の水が流通する部分の面積と同等か、前記給水弁の水が流通する部分の面積よりも大きい断面積となる形状にしたことを特徴とする請求項１に記載の洗濯機。
【請求項３】
前記給水弁と前記注水ケースが接続される接続部には、給水弁接続口の接続口鍔部外周側に、ストッパー部に向かって傾斜部を形成した請求項１または２に記載の洗濯機。
【発明の詳細な説明】
【技術分野】
【０００１】
本発明は、洗い、すすぎ、脱水行程を自動制御して行なう洗濯機に関するものである。
【背景技術】
【０００２】
従来、この種の洗濯機は、洗濯物を収容する内槽に水を供給するために、内槽を臨む位置に注水ケースを備え、注水ケースと給水弁をホースなどにより水密的に接続する構成が提案されている（例えば、特許文献１参照）。
【０００３】
図５は、特許文献１に記載された従来の洗濯機の注水ケースを有する洗剤投入装置の平面図、図６は、第２の接続口部分の断面図である。
【０００４】
図５、図６において、内槽（図示せず）を臨むように配設された洗剤投入装置１３１は、注水ケース１３２内に、第１の注水部材１３３と、第２の注水部材１３４と、ユニット容器１３５とを装着して構成されている。
【０００５】
洗剤投入装置１３１の左側には、電磁力により二つの水路が開閉可能な給水弁８３が設置されている。給水弁８３は、第１の給水弁８４および第２の給水弁８５と、第１の給水口８６および第２の給水口８７と、水道に接続される給水受け口８８とを備えている。
【０００６】
給水弁８３は、給水受け口８８から供給される水を、第１の給水弁８４を通して第１の給水口８６側へ吐出させると共に、第２の給水弁８５を通して第２の給水口８７側へ吐出させる構成となっている。
【０００７】
そして、第１の給水口８６と洗剤投入装置１３１の第１の接続口１３６との間は接続ホース８９により、また、第２の給水口８７と第２の接続口１４６との間は接続ホース９０により接続され、接着剤で水密的に固着されている。
【先行技術文献】
【特許文献】
【０００８】
【特許文献１】特開平８−２３８３９６号公報
【発明の概要】
【発明が解決しようとする課題】
【０００９】
しかしながら、前記従来の構成では、製造工程におけるホースと給水口、接続口との接続作業ミスで水漏れが発生したり、接続口が成形金型の抜き勾配でテーパ状になっているために、水圧で抜けてしまい水漏れが発生したりするという課題があった。
【００１０】
本発明は、上記従来の課題を解決するもので、製造工程における組み立て時の信頼性を向上でき、水漏れ防止と原価低減を図るという洗濯機を提供することを目的としている。
【課題を解決するための手段】
【００１１】
前記従来の課題を解決するために、本発明の洗濯機は、衣類を収容する洗濯槽と、前記洗濯槽を収容する水槽と、前記水槽に水を供給する給水部を備え、前記給水部は、給水弁と、注水ケースと、上部枠体により形成され、前記水槽上方に位置して水を供給する給水口と、給水弁の注水ケースへの挿入部を機密保持するパッキンと、給水弁から給水口へ水を導き、給水経路入口側の断面積が給水口側の通過断面積よりも小さくなるよう構成された給水経路を有し、前記注水ケースには、前記給水弁を挿入したとき、前記パッキンの入
り込み量を規制するストッパー部を形成したものである。
【００１２】
これによって、製造工程における組み立て時の信頼性を向上でき、水漏れ防止と原価低減を図ることができる。
【発明の効果】
【００１３】
本発明の洗濯機は、製造工程における組み立て時の信頼性を向上でき、水漏れ防止と原価低減を図ることができる。
【図面の簡単な説明】
【００１４】
【図１】本発明の実施の形態における洗濯機の縦断面図
【図２】同洗濯機の要部分解斜視図
【図３】同洗濯機の接続部の断面図
【図４】同洗濯機の図３におけるＡ部の給水弁接続口の拡大断面図
【図５】従来の洗濯機の注水ケースを有する洗剤投入装置の平面図
【図６】同洗濯機の第２の接続口部分の断面図
【発明を実施するための形態】
【００１５】
第１の発明は、衣類を収容する洗濯槽と、前記洗濯槽を収容する水槽と、前記水槽に水を供給する給水部を備え、前記給水部は、給水弁と、注水ケースと、上部枠体により形成され、前記水槽上方に位置して水を供給する給水口と、給水弁の注水ケースへの挿入部を機密保持するパッキンと、給水弁から給水口へ水を導き、給水経路入口側の断面積が給水口側の通過断面積よりも小さくなるよう構成された給水経路を有し、前記注水ケースには、前記給水弁を挿入したとき、前記パッキンの入り込み量を規制するストッパー部を形成したものである。
【００１６】
これによって、製造工程における組み立て時の信頼性を向上でき、水漏れ防止と原価低減を図ることができる。
【００１７】
第２の発明は、第１の発明の前記注水ケースに設けた前記ストッパー部は、前記給水弁の水が流通する部分の面積と同等か、前記給水弁の水が流通する部分の面積よりも大きい断面積となる形状にしたものであり、これにより、流れる水の流速への影響を与えない形状とすることができる。
【００１８】
第３の発明は、特に、第１または第２の発明の接続部は、給水弁接続口の接続口鍔部外周側に、ストッパー部に向かって傾斜部を形成した構成とすることにより、製造工程における組み立て時にパッキンが正しく取り付けられ、水漏れ防止を図ることができる。
【００１９】
以下、本発明の実施の形態について、図面を参照しながら説明する。なお、この実施の形態によって本発明が限定されるものではない。
【００２０】
（実施の形態１）
図１は、本発明の実施の形態における洗濯機の縦断面図、図２は、同洗濯機の要部分解斜視図、図３は、同洗濯機の接続部の断面図、図４は、同洗濯機の図３におけるＡ部の給水弁接続口部の拡大断面図である。
【００２１】
図１、図２において、筺体１１内には、サスペンション１２により水槽１３が懸垂防振支持されており、水槽１３には洗濯物を収容する洗濯兼脱水槽１５が回転自在に内包されている。洗濯脱水軸１４は、中空で２軸となるように構成されている。
【００２２】
洗濯兼脱水槽１５は、側壁に多数の脱水孔１６を設けるとともに、内周側の上部に振動低減用の流体バランサー１７を配設している。また、洗濯兼脱水槽１５の中央底部には、攪拌用のパルセータ１８が配設されている。
【００２３】
伝達機構部１９は、内部に洗濯時の減速ギヤー（図示せず）、洗濯脱水軸１４の切り換えクラッチ（図示せず）、脱水時に洗濯兼脱水槽１５の回転を停止するブレーキ（図示せず）を内蔵している。
【００２４】
モータ２０は、水槽１３の外底部に設けられ、ベルト２３を介して、その動力を洗濯脱水軸１４に伝達する。そして、水槽１３の底部には排水弁２２が設けられ、その開閉により水槽１３内の洗濯液を外部へ排水する。
【００２５】
筺体１１の上部には上部枠体２４が配設され、その略中央部には洗濯物投入取出口２５が形成されており、洗濯物投入取出口２５を覆うように蓋体２６が開閉自在に設けられている。
【００２６】
そして、上部枠体２４の前部には、運転コース等のモードや各種機能の選択を行なう操作表示部２１が設けられ、その内方部にはモータ２０、排水弁２２や後述する給水弁２８などの電装部品を制御し、洗い、すすぎ、脱水などの行程を逐次制御する制御装置２７が配設されている。
【００２７】
上部枠体２４の後内部には、注水ケース３０が配設され、注水ケース３０には給水弁２８が設けられている。そして、給水弁２８から給水された水は、給水弁２８の給水弁接続口５３と注水ケース３０の注水ケース接続口５２の接続部４０を介し、導水路４５を経由して、注水口４３より水槽１３内へと給水されるようになっている。
【００２８】
図３、図４において、上述のように、給水弁２８から給水された水は、給水弁２８から矢印の経路をたどり、給水弁接続口５３と注水ケース接続口５２の接続部４０を介し、導水路４５を経由して、注水口４３より水槽１３内へと給水される。
【００２９】
接続部４０の給水弁接続口５３と注水ケース接続口５２との間には、ゴム材で形成された鍔状のパッキン鍔部５６を有する円筒状のパッキン５０が水漏れ防止用として設けられている。
【００３０】
また、給水弁接続口５３の先端部には鍔状の接続口鍔部５５が形成されており、給水弁接続口５３を注水ケース接続口５２に挿入すると、この接続口鍔部５５が注水ケース接続口５２に形成されたストッパー部５１に当接して位置決めされるようになっている。
【００３１】
製造工程での接続部４０の組み立て時には、注水ケース接続口５２にパッキン５０をセットし、給水弁接続口５３を挿入すると、接続口鍔部５５がストッパー部５１に当接して位置決めされ、接続口鍔部５５はパッキン５０の端部とストッパー部５１の間に位置するようになっている。また、給水弁接続口５３の先端部である接続口鍔部５５は、外周側にストッパー部５１に向かって傾斜部５４を形成した形状となっているために、注水ケース接続口５２にセットしたパッキン５０内に小さな摺動抵抗で真っ直ぐにスムーズに挿入することができる。
【００３２】
なお、ストッパー部５１の通水路側内径であるストッパー内径部５７は、給水弁接続口５３の通水路側内径である給水弁接続口内径部５８に比べて同等あるいはそれ以上の内径寸法となっている。これは、給水時の流速に影響を与えないためである。
【００３３】
以上の構成により、接着剤無しで水漏れを防止することができる。また、接続口鍔部５５がストッパー部５１に当接して位置決めされるので、挿入時にパッキン５０が挿入方向に引き伸ばされ、設計上の狙いと異なる位置までパッキンが飛び出すこともなく、パッキン５０を正しい位置にスムーズに組み立てすることができる。
【００３４】
以上のように、本実施の形態においては、給水弁２８と注水ケース３０の接続部４０は、給水弁２８に形成された給水弁接続口５３と、注水ケース３０に形成され、給水弁接続口５３が挿入された注水ケース接続口５２と、給水弁接続口５３と注水ケース接続口５２とを水密的に接続するゴム材から成るパッキン５０とで構成されるとともに、給水弁接続口５３の端部に形成した接続口鍔部５５を、注水ケース接続口５２に形成したストッパー部５１に当接させて位置決めをした構成とすることにより、製造工程における組み立て時にパッキン５０が正しく取り付けられ、水漏れ防止と原価低減を図ることができる。
【００３５】
また、接続部４０は、給水弁接続口５３の接続口鍔部５５外周側に、ストッパー部５１に向かって傾斜部５４を形成した構成とすることにより、製造工程における組み立て時にパッキン５０が正しく取り付けられ、水漏れ防止を図ることができる。
【産業上の利用可能性】
【００３６】
本発明は、製造工程における組み立て時に、パッキンを正しく取り付けることができ、水漏れを防止することができるので、縦型洗濯機、ドラム式洗濯機のみなら、食器洗浄機にも利用することが可能である。」
【符号の説明】
【００３７】
１３  水槽
１５  洗濯兼脱水槽
１８  パルセータ
２０  モータ
２４  上部枠体
２８  給水弁
３０  注水ケース
４０  接続部
４３  注水口
４５  導水路
５０  パッキン
５１  ストッパー部
５２  注水ケース接続口
５３  給水弁接続口
５４  傾斜部
５５  接続口鍔部
【図１】
2018038695.tif 000003
【図２】
2018038695.tif 000004
【図３】
2018038695.tif 000005
【図４】
2018038695.tif 000006
【図５】
2018038695.tif 000007
【図６】
2018038695.tif 000008